(57)【要約】【課題】左右２つの当接部のいずれが押されても、同じストロークかつ同じ力で押栓が押され、噴霧量が同じとなる。【解決手段】２つの軸ピン突起２２３Ｌ、２２３Ｒ及び上記２つの長孔２２９Ｌ、２２９Ｒは、押栓２３１の復帰力によってともに同じ上方向に同じ力で付勢されている。左側の当接部２２７Ｌが押されると、ロッド２２４に反時計周りの回転モーメントが働く。２つの軸ピン突起２２３Ｌ、２２３Ｒ／長孔２２９Ｌ、２２９Ｒのうち、軸ピン突起２２３Ｒ／長孔２２９Ｒの方に大きな力が働き、ここが支点となって、軸ピン突起２２３Ｌが長孔２２９Ｌ内を移動するように、ロッド２２４全体が傾き、押し下げ部２２８が噴霧剤入り容器２３０の押栓２３１を押す。右側の当接部２２７Ｒが押されると、これらと逆の動きとなって、やはり押し下げ部２２８が押栓２３１を押す。【選択図】図４
2008094438.tif 000002
【特許請求の範囲】
【請求項１】
扉が取り付けられる枠体に対して、当該扉が開閉される、二つの空間を仕切るための開閉部と、
この開閉部の扉に設けられ、内部に噴霧剤が入れられて、押すことにより当該噴霧剤を噴射口から噴射させ、この押しを解除すると、元に復帰する押栓を備えた噴霧剤入り容器と、に対して、
この噴霧剤入り容器を、上記開閉部の扉の外面または上記枠体の外面に固定する固定機構と、
この固定機構に取りつけられ、上記噴霧剤入り容器の押栓を押し下げる押し下げ部と、
上記扉が閉じられるときまたは開かれるとき、上記枠体の外面または扉の外面に当接する当接部であって、この当接部は上記押し下げ部に連結され、この当接部は上記押し下げ部を挟んで少なくとも２つ設けられ、
この当接部と押し下げ部との間の少なくとも２箇所に設けられた長孔と、
この長孔内それぞれに入り込む少なくとも２つの突起であって、この突起は長孔内を移動可能であり、
この長孔と突起との一方は、押し下げ部及び当接部または上記固定機構の一方に設けられ、この長孔と突起との他方は、押し下げ部及び当接部または上記固定機構の他方に設けられ、
上記２つの長孔は円弧状に湾曲しており、一方の長孔の円弧の中心は、他方の長孔に入り込んでいる突起にあることを特徴とする開閉部の噴霧剤の噴霧機構。
【請求項２】
上記噴霧剤入り容器の押栓を押し下げ部が押し下げる位置は、上記２つの突起の中間点にあることを特徴とする請求項１記載の開閉部の噴霧剤の噴霧機構。
【請求項３】
上記２つの突起の中間点を中心として、上記２つの当接部が上記扉の外面または枠体の外面に当接する位置は互いに対称位置にあることを特徴とする請求項１または２記載の開閉部の噴霧剤の噴霧機構。
【請求項４】
上記噴霧剤入り容器の押栓の復帰の付勢によって、上記２つの突起及び上記２つの長孔は、同じ方向に付勢され、
上記当接部が当接すると、当該当接の付勢による回転モーメントによって、上記２つの突起及び長孔のうち、より大きな力が働く方を支点とし、他方の突起は長孔内を移動するようにして、押し下げ部が噴霧剤入り容器の押栓を押すことを特徴とする請求項１、２または３記載の開閉部の噴霧剤の噴霧機構。
【請求項５】
上記扉が閉じられるときに、上記当接部は上記扉または上記枠体に当接して、上記押し下げ部は、上記噴霧剤入り容器の押栓を押し下げることを特徴とする請求項１、２、３または４記載の開閉部の噴霧剤の噴霧機構。
【請求項６】
上記固定機構は、上記扉の外面に固定されることを特徴とする請求項１、２、３、４または５記載の開閉部の噴霧剤の噴霧機構。
【請求項７】
上記固定機構は、上記扉の出入りする側縁と反対側付近、回動される扉の回動中心軸付近、またはスライドされる扉の上記枠体と重なる側に設けられることを特徴とする請求項１、２、３、４、５または６記載の開閉部の噴霧剤の噴霧機構。
【発明の詳細な説明】
【技術分野】
【０００１】
従来、住宅、アパート、マンション等の居住空間内には、様々な臭いが滞留している。それらの臭いの発生源は、その居住空間内にある家具、壁紙又は、居住者が着用する衣服や靴などである。特に、衣服、靴その他は、人体から発せられる汗や皮脂に、細菌が作用して発せられる様々な臭いと、それら衣服、靴固有の臭いが混ざりあい複雑な臭いとなっている。それらの臭いは、一般に生活臭と呼ばれ、その居住空間内に生活する者には、気にならないが、外部の人間にとっては、異臭と感じる場合がある。
【０００２】
そこで、それらの臭いを消すべく、様々な消臭剤や芳香剤（以下「噴霧剤」という）が用いられている。このような噴霧剤を扉に取り付けて、扉の開閉に伴って、自動的に噴霧を行うものが考えられてきている。
【０００３】
【特許文献１】特願２００５−２４３４８２号（未公開）
【特許文献２】特開２００３−１８４４５１号公報
【特許文献３】実願平０２−０５５５００号（実開平０４−０１４６８５号）のマイクロフィルム
【特許文献４】特開２０００−１８９０３３号公報
【発明の開示】
【発明が解決しようとする課題】
【０００４】
このような扉の開閉に伴って自動的に噴霧を行うには、扉または扉の周囲の壁などに噴霧機構を取り付けなくてはならない。しかしながら、扉には種々の種類があり、右側で開閉するもの、左側で開閉するもの、室内側に開くもの、室外側に開くもの、回動式、スライド式などがあり、さらには窓を考慮に入れると、上側で開閉するもの、下側で開閉するものなどがさらに付け加わる。
【０００５】
このような種々の種類の開閉部に噴霧機構を対応させるには、多くの種類の噴霧機構を用意しなくてはならなかった。本発明の目的は、種々の種類の開閉部に１つの装置で対応できる噴霧機構を提供することである。
【課題を解決するための手段】
【０００６】
上記目的を達成するために、本発明の噴霧機構では、上記扉が閉じられるときまたは開かれるとき、上記枠体の外面または扉の外面に当接する当接部であって、この当接部は上記押し下げ部に連結され、この当接部は上記押し下げ部を挟んで少なくとも２つ設けられ、  この当接部と押し下げ部との間の少なくとも２箇所に設けられた長孔と、  この長孔内それぞれに入り込む少なくとも２つの突起であって、この突起は長孔内を移動可能であり、  この長孔と突起との一方は、押し下げ部及び当接部または上記固定機構の一方に設けられ、この長孔と突起との他方は、押し下げ部及び当接部または上記固定機構の他方に設けられ、  上記２つの長孔は円弧状に湾曲しており、一方の長孔の円弧の中心は、他方の長孔に入り込んでいる突起にあるようにした。
【発明の効果】
【０００７】
当接部は噴霧剤入り容器の押し下げ部を挟んで少なくとも２つ設けられているから、扉または枠体が、噴霧機構の右側または左側、上側または下側、どちらから当接しても、噴霧できる。
【０００８】
また、押し下げ部と当接部とは、２つ以上の長孔と突起と固定されるから、押し下げ部と当接部とは固定機構に対して振らつかず、安定して噴霧できる。さらに、押し下げ部と当接部とは、２つ以上の長孔と突起と固定されるから、押し下げ部と当接部とにかかる力は、この２つ以上の固定箇所に分散され、噴霧機構の強度を保つことができ、磨耗・劣化しにくくなる。
【０００９】
また、２つの長孔は円弧状に湾曲しており、一方の長孔の円弧の中心は、他方の長孔に入り込んでいる突起にあるから、一方の突起を中心として、他方の突起が長孔内を移動でき、２つの当接部のいずれが当接しても、押し下げ部は噴霧剤入り容器の押栓を押し下げることができる。
【発明を実施するための最良の形態】
【００１０】
（１）噴霧機構の構造（第一実施例）
図１乃至図３は開閉部の噴霧剤の噴霧機構の第一実施例の全体外観を示す。開閉部２０１の四角枠状の枠体２０２の中には扉２０３（開閉体）が収納され、この扉２０３の左縁と上記枠体２０２左側との間には複数の兆番が取り付けられ、当該扉２０３が左縁を中心軸として右側で水平方向に回動可能に開閉可能となっている。この開閉部２０１によって、二つの空間が仕切られる。
【００１１】
図１に示すように、この扉２０３の室内側の左側には縦に細長い方形板状の金属製の台座２０４が着脱自在に固定されている。この固定は木ねじ、くぎ、シート磁石、面ファスナー、両面テープ、接着剤などによる。図２に示すように、この台座２０４の左右両側は延出され手前に折り曲げられて中央折り曲げ部２０５Ｌ、２０５Ｒが形成されている。この中央折り曲げ部２０５Ｌ、２０５Ｒの中央には縦に延びる係合穴２０６Ｌ、２０６Ｒが形成されている。
【００１２】
上記台座２０４の左右両縁の上端も延出され手前に折り曲げられて上部折り曲げ部２０７Ｌ、２０７Ｒが形成されている。この上部折り曲げ部２０７Ｌ、２０７Ｒの上縁はさらに互いに内向きに折り曲げられストッパー部２０８Ｌ、２０８Ｒが形成されている。このストッパー部２０８Ｌ、２０８Ｒが噴霧剤入り容器２３０の首部に係合して、噴霧剤入り容器２３０が上方または下方へスライドするのが防止される。
【００１３】
金属製のカバー部２１０は方形板状であり、このカバー部２１０の両側は奥側に折り曲げられ側面部２１１Ｌ、２１１Ｒが形成されている。この側面部２１１Ｌ、２１１Ｒの先端縁は上記台座２０４の中央折り曲げ部２０５Ｌ、２０５Ｒの係合穴２０６Ｌ、２０６Ｒに係合して、中央折り曲げ部２０５Ｌ、２０５Ｒを両側から内側に付勢可能となっている。
【００１４】
このカバー部２１０の上部両側は、上記側面部２１１Ｌ、２１１Ｒとは分離され、奥側に折り曲げられ、しかも上に向かって窄まっていて、上端カバー部２１２Ｌ、２１２Ｒが形成されており、この上端カバー部２１２Ｌ、２１２Ｒによって噴霧剤入り容器２３０が上方へスライドされるのが防止される。このカバー部２１０の中央には縦に伸びる覗き窓２１３が形成されている。
【００１５】
上記上端カバー部２１２Ｌ及び２１２Ｒの間は、切欠されていて、挟み込み部２１４となっていて、この挟み込み部２１４の中央には突起が形成されている。この突起を含む挟み込み部２１４には、小さいスポンジまたは布（吸収体）などが挟み込まれたり、この突起に差し込まれたりする。このスポンジまたは布には、噴霧剤入り容器２３０の押栓２３１から噴霧剤が噴霧されたとき、垂れた噴霧剤が吸収されて、噴霧される噴霧剤のうち一部または全部が吸収される。
【００１６】
これにより、垂れた噴霧剤を吸収して、噴霧機構を汚れないようにすることができる。また、このようなスポンジまたは布に噴霧剤を吸収させることによって、スポンジまたは布から噴霧剤を蒸発させて、噴霧剤の効果を持続させることができる。このようなスポンジまたは布の形状は花、動物など種々の形状にすることもできる。
【００１７】
さらに、扉（開閉体）２０３をゆっくり開閉したときには、噴霧剤が勢いよく噴霧されず噴霧剤が垂れてしまうことがある。このような場合の噴霧剤の垂れを上記スポンジまたは布に吸収させることもできる。これにより、噴霧機構が汚れるのを防止することができる。
【００１８】
上記台座２０４の中央折り曲げ部２０５Ｌ、２０５Ｒの間に噴霧剤入り容器２３０を収納し、カバー部２１０を台座２０４に取り付けると、カバー部２１０の側面部２１１Ｌ、２１１Ｒが、台座２０４の中央折り曲げ部２０５Ｌ、２０５Ｒを外側から挟持する。すると、噴霧剤入り容器２３０が両側から挟持され容易に落下しないようになる。また、覗き窓２１３を通して、噴霧剤入り容器２３０の中の噴霧剤の残量を確認できる。
【００１９】
噴霧剤入り容器２３０は、内部に噴霧剤が入れられて、上部の押栓２３１が押されることにより当該噴霧剤が噴射口２３２から噴射される。この押栓２３１の押しを解除すると、押栓２３１は元に復帰する。このような噴霧剤入り容器２３０は、中央折り曲げ部２０５Ｌ、２０５Ｒによる挟持、ストッパー部２０８Ｌ、２０８Ｒの係合、上端カバー部２１２Ｌ、２１２Ｒなどによって、扉２０３の外面に固定される。
【００２０】
上記台座２０４の上部折り曲げ部２０７Ｌ、２０７Ｒのさらに上の両側は延出されて手前側に折り曲げられ、さらに外側に折り曲げられ、軸支面２２１Ｌ、２２１Ｒが形成されている。この軸支面２２１Ｌ、２２１Ｒの中央にはねじ穴２２２Ｌ、２２２Ｒが形成されていて、このねじ穴２２２Ｌ、２２２Ｒ内面にはねじ溝が形成されている。
【００２１】
上記ねじ穴２２２Ｌ、２２２Ｒの両方には、軸ピン突起２２３Ｌ、２２３Ｒが着脱自在にねじ留め固定されている。ねじ穴２２２Ｌ、２２２Ｒなどを有する上記台座２０４は左右対称であり、噴霧剤入り容器２３０の押栓２３１に対して、ねじ穴２２２Ｌ、２２２Ｒは左右対称の位置にある。
【００２２】
上記軸ピン突起２２３Ｌ、２２３Ｒを介して、ほぼ「Ｕ」字型の板状のロッド２２４が取り付けられている。このロッド２２４の斜め下に延びる両端は当接部２２７Ｌ、２２７Ｒとなっていて、この当接部２２７Ｌ、２２７Ｒは、上記枠体２０２の外面に当接するようになっている。
【００２３】
このロッド２２４の当接部２２７Ｌ、２２７Ｒに挟まれた、ほぼ水平な中央部分は押し下げ部２２８となっていて、この押し下げ部２２８は、上記当接部２２７Ｌ、２２７Ｒが枠体２０２の外面に当接することによって、上記噴霧剤入り容器２３０の押栓２３１を押し下げる。当接部２２７Ｌ、２２７Ｒと押し下げ部２２８とは一体形成によって連結されているが、分離されていてボルトとナットとで互いに連結されていてもよい。
【００２４】
この押し下げ部２２８の下縁は下方へ突出して湾曲している。したがって、押栓２３１を押し下げるとき、押栓２３１の上面を押し下げ部２２８の下縁は滑らかにスリップすることができる。したがって、噴霧剤入り容器２３０の噴霧がスムーズに行なわれる。
【００２５】
上記ロッド２２４の上記当接部２２７Ｌ、２２７Ｒと押し下げ部２２８と間の２つの折曲部分には、長孔２２９Ｌ、２２９Ｒが形成されている。この長孔２２９Ｌ、２２９Ｒ内には、上記軸ピン突起２２３Ｌ、２２３Ｒが外れないように入り込んでおり、台座２０４にロッド２２４の当接部２２７Ｌ、２２７Ｒと押し下げ部２２８とが取り付けられることになる。
【００２６】
噴霧剤入り容器２３０の中には、液体の消臭剤、防臭剤、芳香剤、消毒剤、除菌剤、抗菌剤、殺菌剤、殺虫剤、殺鼠剤またはこれらの２種類以上の混合剤などの噴霧剤が収納されている。この噴霧剤入り容器２３０の上部には押栓２３１が設けられ、この押栓２３１を押し込むと、この押栓２３１の噴射口２３２から噴霧剤が霧状に噴霧される。
【００２７】
図１乃至図３の実施例では、扉２０３を閉じるときに噴霧剤の噴霧が行われる。扉２０３を閉じているときには、ロッド２２４の押し下げ部２２８が噴霧剤入り容器２３０の押栓２３１を押したままとなる。しかし、上記押栓２３１の中にはポンプと弁とが内蔵され、噴霧剤入り容器２３０の中には、噴霧圧力をつくる液化ガスなどの圧力ガスは封入されていない。
【００２８】
したがって、上記噴霧剤入り容器２３０の押栓２３１は一回の押し込みで一定量だけの噴霧剤が噴射され、押栓２３１を押し込んだままとしても、噴霧剤の噴霧は終了するので、噴霧剤が出っぱなしになることはない。扉２０３を開いているときには、ロッド２２４の押し下げ部２２８の押栓２３１への押し込みは開放／解除される。
【００２９】
上記当接部２２７Ｌ、２２７Ｒの突出方向は、垂直方向に対して、１０度乃至５５度、望ましくは１５度乃至４５度、より望ましくは２０度乃至３５度であり、４５度以下でもよい。これにより、扉２０３の開閉力を円滑に噴霧剤入り容器２３０の押栓２３１に伝達できる。
【００３０】
この角度が大きいと、押し下げ部２２８が押栓２３１を押すストロークを大きくできるし、当接部２２７Ｌ、２２７Ｒが噴霧剤入り容器２３０にぶつからなくなる。この角度が小さいと、当接部２２７Ｌ、２２７Ｒを押す力を小さくでき、当接部２２７Ｌ、２２７Ｒの先端が磨耗しなくなる。この当接部２２７Ｌ、２２７Ｒの先にローラが取り付けられてもよい。
【００３１】
（２）ロッド２２４（当接部２２７、２２７、押し下げ部２２８）（第一実施例）
図４及び図５は、ロッド２２４の当接部２２７Ｌ、２２７Ｒと押し下げ部２２８と、長孔２２９Ｌ、２２９Ｒ及び軸ピン突起２２３Ｌ、２２３Ｒとの第一実施例を示す。長孔２２９Ｌ、２２９Ｒは、軸ピン突起２２３Ｌ、２２３Ｒを中に挿通させて、軸ピン突起２２３Ｌ、２２３Ｒに対して移動可能となっている。
【００３２】
この２つの長孔２２９Ｌ、２２９Ｒは円弧状に湾曲しており、一方の長孔２２９Ｌの円弧の中心は、他方の長孔２２９Ｒに入り込んでいる軸ピン突起２２３Ｒにあり、他方の長孔２２９Ｒの円弧の中心は、一方の長孔２２９Ｌに入り込んでいる軸ピン突起２２３Ｌにある。
【００３３】
上記噴霧剤入り容器２３０の押栓２３１を押し下げる押し下げ部２２８の位置は、２つの軸ピン突起２２３または２つの長孔２２９Ｌ、２２９Ｒの中間点にある。また、この中間点を中心として、上記２つの当接部２２７Ｌ、２２７Ｒの先端が上記扉２０３の外面または枠体２０２の外面に当接する位置は互いに対称位置にある。
【００３４】
これにより、２つの当接部２２７Ｌ、２２７Ｒのいずれが押されても、同じストロークかつ同じ力で押栓２３１が押され、噴霧量が同じとなる。なお、場合によって、押し下げ部２２８の位置は、２つの軸ピン突起２２３または２つの長孔２２９Ｌ、２２９Ｒの中間点から一方へずれた位置にあってもよい。また、２つの当接部２２７Ｌ、２２７Ｒの先端が上記扉２０３の外面または枠体２０２の外面に当接する位置は互いに対称位置からずれた位置にあってもよい。
【００３５】
上記噴霧剤入り容器２３０の押栓２３１は押されると復帰の付勢力が働き、この結果、上記２つの軸ピン突起２２３Ｌ、２２３Ｒ及び上記２つの長孔２２９Ｌ、２２９Ｒは、同じ方向に付勢される。この結果、軸ピン突起２２３Ｌ、２２３Ｒは、長孔２２９Ｌ、２２９Ｒの下縁に当接する。この押栓２３１の付勢によって、ロッド２２４を復帰させるためのバネなどの弾性体は不要となる。
【００３６】
上記当接部２２７Ｌ、２２７Ｒが上記扉２０３の外面または枠体２０２の外面に当接すると、上記押栓２３１の付勢による回転モーメントによって、上記２つの軸ピン突起２２３Ｌ、２２３Ｒ／長孔２２９Ｌ、２２９Ｒのうち、より大きな力が働く方が支点とされ、他方の軸ピン突起２２３Ｌ（２２３Ｒ）は長孔２２９Ｒ（２２９Ｒ）内を移動するようにして、押し下げ部２２８が噴霧剤入り容器２３０の押栓２３１を押す。
【００３７】
例えば、図４の例では、２つの軸ピン突起２２３Ｌ、２２３Ｒ及び上記２つの長孔２２９Ｌ、２２９Ｒは、押栓２３１の復帰力によってともに同じ上方向に同じ力で付勢されている。図４の左側の当接部２２７Ｌが押されると、ロッド２２４に反時計周りの回転モーメントが働く。
【００３８】
そうすると、２つの軸ピン突起２２３Ｌ、２２３Ｒ／長孔２２９Ｌ、２２９Ｒのうち、軸ピン突起２２３Ｒ／長孔２２９Ｒの方に大きな力が働き、ここが支点となって、軸ピン突起２２３Ｌが長孔２２９Ｌ内を移動するように、ロッド２２４全体が傾き、押し下げ部２２８が噴霧剤入り容器２３０の押栓２３１を押す。
【００３９】
また、図５の右側の当接部２２７Ｒが押されると、ロッド２２４に時計周りの回転モーメントが働く。そうすると、２つの軸ピン突起２２３Ｌ、２２３Ｒ／長孔２２９Ｌ、２２９Ｒのうち、軸ピン突起２２３Ｌ／長孔２２９Ｌの方に大きな力が働き、ここが支点となって、軸ピン突起２２３Ｒが長孔２２９Ｒ内を移動するように、ロッド２２４全体が傾き、押し下げ部２２８が噴霧剤入り容器２３０の押栓２３１を押す。
【００４０】
このように、２つの軸ピン突起２２３Ｌ、２２３Ｒ／長孔２２９Ｌ、２２９Ｒは、いずれか一方が支点となり、他方がロッド２２４の傾動ガイドとなって、押栓２３１を押すことができる。また、２つの軸ピン突起２２３Ｌ、２２３Ｒ／長孔２２９Ｌ、２２９Ｒは、ロッド２２４の傾動方向によって、支点と傾動ガイドとが支障なく切換えられる。
【００４１】
上記軸ピン突起２２３Ｌ、２２３Ｒが、長孔２２９Ｌ、２２９Ｒの下縁に当接するときにおいて、長孔２２９Ｌの円弧の中心が軸ピン突起２２３Ｒにあり、他方の長孔２２９Ｒの円弧の中心が軸ピン突起２２３Ｌにある。
【００４２】
（３）ロッド２２４（当接部２２７、２２７、押し下げ部２２８）（第二実施例）
図６及び図７は、ロッド２２４の当接部２２７Ｌ、２２７Ｒと押し下げ部２２８と、長孔２２６Ｌ、２２６Ｒ及び軸ピン突起２２３Ｌ、２２３Ｒとの第二実施例を示す。長孔２２６Ｌ、２２６Ｒは、軸ピン突起２２３Ｌ、２２３Ｒを中に挿通させて、軸ピン突起２２３Ｌ、２２３Ｒに対して移動可能となっている。
【００４３】
この２つの長孔２２６Ｌ、２２６Ｒは円弧状に湾曲しており、一方の長孔２２６Ｌの円弧の中心は、他方の長孔２２６Ｒに入り込んでいる軸ピン突起２２３Ｒにあり、他方の長孔２２６Ｒの円弧の中心は、一方の長孔２２６Ｌに入り込んでいる軸ピン突起２２３Ｌにある。
【００４４】
上記噴霧剤入り容器２３０の押栓２３１を押し下げる押し下げ部２２８の位置は、２つの軸ピン突起２２３または２つの長孔２２９Ｌ、２２９Ｒの中間点にある。また、この中間点を中心として、上記２つの当接部２２７Ｌ、２２７Ｒの先端が上記扉２０３の外面または枠体２０２の外面に当接する位置は互いに対称位置にある。
【００４５】
これにより、２つの当接部２２７Ｌ、２２７Ｒのいずれが押されても、同じストロークかつ同じ力で押栓２３１が押され、噴霧量が同じとなる。なお、場合によって、押し下げ部２２８の位置は、２つの軸ピン突起２２３または２つの長孔２２９Ｌ、２２９Ｒの中間点から一方へずれた位置にあってもよい。また、２つの当接部２２７Ｌ、２２７Ｒの先端が上記扉２０３の外面または枠体２０２の外面に当接する位置は互いに対称位置からずれた位置にあってもよい。
【００４６】
上記噴霧剤入り容器２３０の押栓２３１は押されると復帰の付勢力が働き、この結果、上記２つの軸ピン突起２２３Ｌ、２２３Ｒ及び上記２つの長孔２２６Ｌ、２２６Ｒは、同じ方向に付勢される。この結果、軸ピン突起２２３Ｌ、２２３Ｒは、長孔２２６Ｌ、２２６Ｒの下縁に当接する。この押栓２３１の付勢によって、ロッド２２４を復帰させるためのバネなどの弾性体は不要となる。
【００４７】
上記当接部２２７Ｌ、２２７Ｒが上記扉２０３の外面または枠体２０２の外面に当接すると、上記押栓２３１の付勢による回転モーメントによって、上記２つの軸ピン突起２２３Ｌ、２２３Ｒ／長孔２２６Ｌ、２２６Ｒのうち、より大きな力が働く方が支点とされ、他方の軸ピン突起２２３Ｌ（２２３Ｒ）は長孔２２６Ｒ（２２６Ｒ）内を移動するようにして、押し下げ部２２８が噴霧剤入り容器２３０の押栓２３１を押す。
【００４８】
例えば、図６の例では、２つの軸ピン突起２２３Ｌ、２２３Ｒ及び上記２つの長孔２２６Ｌ、２２６Ｒは、押栓２３１の復帰力によってともに同じ上方向に同じ力で付勢されている。図６の左側の当接部２２７Ｌが押されると、ロッド２２４に時計周りの回転モーメントが働く。
【００４９】
そうすると、２つの軸ピン突起２２３Ｌ、２２３Ｒ／長孔２２６Ｌ、２２６Ｒのうち、軸ピン突起２２３Ｌ／長孔２２６Ｌの方に大きな力が働き、ここが支点となって、軸ピン突起２２３Ｒが長孔２２６Ｒ内を移動するように、ロッド２２４全体が傾き、押し下げ部２２８が噴霧剤入り容器２３０の押栓２３１を押す。
【００５０】
また、図７の右側の当接部２２７Ｒが押されると、ロッド２２４に反時計周りの回転モーメントが働く。そうすると、２つの軸ピン突起２２３Ｌ、２２３Ｒ／長孔２２６Ｌ、２２６Ｒのうち、軸ピン突起２２３Ｒ／長孔２２６Ｒの方に大きな力が働き、ここが支点となって、軸ピン突起２２３Ｌが長孔２２９Ｌ内を移動するように、ロッド２２４全体が傾き、押し下げ部２２８が噴霧剤入り容器２３０の押栓２３１を押す。
【００５１】
このように、２つの軸ピン突起２２３Ｌ、２２３Ｒ／長孔２２９Ｌ、２２９Ｒは、いずれか一方が支点となり、他方がロッド２２４の傾動ガイドとなって、押栓２３１を押すことができる。また、２つの軸ピン突起２２３Ｌ、２２３Ｒ／長孔２２９Ｌ、２２９Ｒは、ロッド２２４の傾動方向によって、支点と傾動ガイドとが支障なく切換えられる。
【００５２】
上記軸ピン突起２２３Ｌ、２２３Ｒが、長孔２２６Ｌ、２２６Ｒの下縁に当接するときにおいて、長孔２２６Ｌの円弧の中心が軸ピン突起２２３Ｒにあり、他方の長孔２２６Ｒの円弧の中心が軸ピン突起２２３Ｌにある。したがって、この第二実施例のロッド２２４の長孔２２６Ｌ、２２６Ｒの形成位置と、上記第一実施例のロッド２２４の長孔２２９Ｌ、２２９Ｒの形成位置とは異なっている。
【００５３】
しかし、同じであってもよい。これにより、軸ピン突起２２３Ｌ、２２３Ｒをねじ穴２２２Ｌ、２２２Ｒから外して、第一実施例のロッド２２４を上下逆にして取り付けて、軸ピン突起２２３Ｌ、２２３Ｒをねじ穴２２２Ｌ、２２２Ｒに螺合すれば、第二実施例となる。他の構成、作用、動作は、上記実施例と同じであり、その説明を省略する。
【００５４】
（４）他の実施の形態
本発明は、上記実施例に限定されず、種々変更可能である。例えば、軸ピン突起２２３Ｌ、２２３Ｒはロッド２２４側に設けられ、長孔２２９Ｌ、２２９Ｒ、２２６Ｌ、２２６Ｒは軸支面２２１Ｌ、２２１Ｒ側に設けられてもよい。
【００５５】
この場合、上記図４乃至図７において、長孔２２９Ｌ、２２９Ｒ、２２６Ｌ、２２６Ｒの上縁に軸ピン突起２２３Ｌ、２２３Ｒが当接する。そして、上記軸ピン突起２２３Ｌ、２２３Ｒが、長孔２２６Ｌ、２２６Ｒの上縁に当接するときにおいて、長孔２２６Ｌ、２２９Ｌの円弧の中心が軸ピン突起２２３Ｒにあり、他方の長孔２２６Ｒ、２２９Ｒの円弧の中心が軸ピン突起２２３Ｌにある。
【００５６】
また、扉２０３は回動式のほか、スライド式の扉でも実施可能である。この場合、図１乃至図３の例でいけば、扉２０３を右から左にスライドさせて閉じるときには、扉２０３の左側に噴霧機構が取り付けられ、扉２０３を左から右にスライドさせて閉じるときには、扉２０３の右側に噴霧機構が取り付けられる。これにより、扉を閉じるときに、ロッド２２４の当接部２２７Ｌまたは２２７Ｒが枠体２０２に当接する。
【００５７】
さらに、本噴霧機構は、扉２０３の外面側ではなく、枠体２０２の外面側に取り付けてもよい。この場合、図１乃至図３と同じ向きで枠体２０２の左枠の内側面に左側の中央折り曲げ部２０５が取り付けられて台座２０４が枠体２０２の左枠に固定され、扉２０３に突起物が設けられ、扉２０３が閉じられるとき、この突起物がロッド２２４の当接部２２７を当接して押すことになる。
【００５８】
以上のようなことは、扉２０３の開閉の向きが左右逆になっても可能である。この場合、枠体２０２の右枠の内側外面に右側の中央折り曲げ部２０５Ｒが取り付けられて台座２０４が枠体２０２の右枠に固定される等して、扉２０３に突起物が設けられて、扉２０３が閉じられるとき、この突起物がロッド２２４の当接部２２７を当接して押すことになる。以上のことは、回動式のほか、スライド式の扉でも同様の構造によって実施可能である。
【００５９】
以上のようなことは、扉２０３を閉じるときに噴霧するものであったが、扉２０３を開くときに噴霧するものでもよい。この場合、扉２０３を開いてある位置まで移動したときに噴霧できるようにすることになり、この位置の扉２０３の外面に上記噴霧機構を取り付け、一方枠体２０２から延出された突起物が設けられ、この突起物に当該噴霧機構のロッド２２４の当接部２２７が当接することになる。
【００６０】
これは回動式／スライド式いずれでも同様の構造で可能であるし、扉２０３の開閉の向きが左右逆になっていても同様の構造で可能である。ここで、本噴霧機構を、扉２０３外面側ではなく、枠体２０２外面側に取り付けてもよい。この場合、上記枠体２０２外面に上記噴霧機構を取り付け、一方扉２０３から延出された突起物が設けられ、この突起物に当該噴霧機構のロッド２２４の当接部２２７が当接することになる。
【００６１】
噴霧機構が設けられる場所は、開閉される扉２０３の表側／裏側・外側／内側のどちらの側でもよいし、扉２０３の左側／右側／上側／下側など、どの位置でもよい。これにより、上記扉２０３の出入りする側縁と反対側付近、回動される扉２０３の回動中心軸付近、またはスライドされる扉２０３の上記枠体２０２と重なる側に設けられたり、上記扉２０３の出入りする側縁側付近、回動される扉２０３の回動中心軸と反対側付近、またはスライドされる扉２０３の上記枠体２０２と重なる側と反対側に設けられたりすることになる。
【００６２】
以上のようなことは、扉２０３が回動式のほか、スライド式であっても実施可能である。この場合の構造は上述した。以上のようなことは、扉２０３の外面側ではなく、枠体２０２の外面側に取り付けてもよい。この場合の構造も上述した。以上のようなことは、扉２０３の開閉の向きが左右逆になっても実施可能である。この場合の構造も上述した。以上のようなことは、扉２０３を閉じるときのほか、扉２０３を開くときに噴霧するものでも実施可能である。この場合の構造も上述した。
【００６３】
開閉部／開閉体は、上述の水平方向に回動またはスライドするもののほか、上側で開閉するもの、下側で開閉するもの、上下に開閉するものでも、斜め方向に開閉するものであってもよい。この場合、上述の実施例につき、向きを時計回りにほぼ９０度（０度〜９０度）または反時計回りにほぼ９０度（０度〜９０度）回転させたり、または表裏逆にしたりすればよい。
【００６４】
左側の当接押込み機構であるロッド２２４、軸ピン突起２２３Ｌ、ねじ穴２２２Ｌと、右側の当接押込み機構であるロッド２２４、軸ピン突起２２３Ｒ、ねじ穴２２２Ｒとは、左右対称である。したがって、扉２０３（開閉体）の開閉方向が左右逆になるとき、そのまま取り付け位置を左右切換えるだけでよく、細かい位置調整を左右で変える必要がなくなり、当接押込み機構の取り付け位置を左右でほぼ同じ位置にできる。
【００６５】
しかし、ねじ穴２２２Ｌと２２２Ｒとの位置、軸支面２２１Ｌと２２１Ｒとの位置／寸法、軸ピン突起２２３Ｌ、２２３Ｒの左右両位置は左右対称の位置になくてもよい。これにより、当接押込み機構の取り付け位置を左右で若干変える必要が生じるが、左右付け替えることはやはり可能となる。また、本噴霧機構を左右で付け替えるとき、元の取り付け位置と付け替え位置とは扉２０３の同じ水平位置にあってもよいし、対角線方向にずれていてもよいし、その他の方向にずれていてもよい。
【００６６】
また、ロッド（当接押込み機構）２２４の形状は、Ｕ字状のほか、Ｖ字状、Ｗ字状、Ｏ字状、Ｈ字状、横向きＥ字状、横向きＣ字状、Ｔ字状、Ｘ字状、環状、方形状、正方形状、多角形状、円形状、楕円形状などでもよいし、ロッド２２４の数も２以上重なっていてもよい。厚さも厚くて、板状以外でもよい。
【００６７】
また、枠体２０２は、扉２０３の周囲だけでなく、扉２０３の周りの壁、柱、梁、鴨居、敷居、床、これらの突起物または付加物などまでの広い範囲までも含んでもよい。扉２０３は、扉／ドアのほか、窓、戸、鎧戸、ふすま、障子、蓋、引き出しなどに用いられても良い。
【００６８】
噴霧剤入り容器２３０は円柱状／円筒状であったが、楕円柱状、角柱状、球状、卵型状、直方体状、立方体状、ひょうたん型など、どのような形状でもよい。噴霧剤入り容器２３０の取り付けられる向きは縦向きのほか、横向き、上下逆向き、斜め向きなど、どのような向きでもよい。
【００６９】
さらに、本噴霧機構が備えられる場所／用途は、応接室／玄関／寝室／トイレ／風呂／物置／押入／車庫／門／エレベータなどの住居／店舗／工場／オフィス／公共施設等の建築物／施設の自動扉／回転ドア／扉／窓／蓋／引き出し／シャッター、乗用車／列車／船舶／航空機などの乗り物の扉／窓／蓋／引き出し、冷蔵庫／洗濯機／電子レンジなどの家電製品の扉／窓／蓋／引き出し、洋服ダンス／本棚／食器棚／収納ケース／机などの家具／事務用家具の扉／窓／蓋／引き出し、温室／家畜舎／納屋／冷凍室など農林牧畜水産業施設の扉／窓／蓋／引き出し等でもよい。
【００７０】
また、噴霧剤入り容器２３０としては、高圧のガスが封入され、この圧力で噴霧剤／薬液が噴出されても良い。噴霧剤入り容器２３０としては、電動式のポンプによって芳香剤（消臭剤その他の薬液）が噴霧される方式が用いられても良い。具体的には、電動ポンプによってボトル内に蓄えられた薬液が吸い出され、極めて小さな穴から霧状で噴射される。そして、電動ポンプの運転と停止とを支持するスイッチのオン／オフが上記第一実施例及び第二実施例のロッド２２４の動作で制御される。
【００７１】
さらに、第一実施例及び第二実施例の噴霧剤入り容器２３０の押栓２３１を押し込む力が、電磁石のオン／オフで生成されてもよい。例えば、電磁石が働く（通電される）ことで、電磁石のコアが動き、このコアによって押栓２３１が押し込まれる。逆に、電磁石への電流が遮断されると、電磁石のコアがスプリングなどの働きで元の位置に復帰され、押栓２３１を押し込む力が消失されることで、噴霧剤／薬液の噴霧が停止される。
【００７２】
その他に、エアーポンプが用いられても良い。エアーポンプとは、以下の物である。可撓性のある素材、例えばポリエステルなどで全体が作られ、しかも側部に蛇腹を有する容器であって、押しつぶされると、一つの小さな穴から内部の空気が勢いよく押し出される構造のものである。そして、押しつぶす力が開放されると、容器全体が元の形状に戻される。
【００７３】
このようなエアーポンプが、扉２０３の屋内側または屋外側に取り付けられており、さらに、エアーポンプの空気排出口がスプレーのノズルを押し下げるようにパイプで繋げられている。そして、スライドドアが閉じられたとき、このドア横の柱にエアーポンプが押しつぶされることで、ポンプ内の空気が勢いよく押し出される。この結果、噴霧剤入り容器２３０の押栓２３１が押し下げられるので、噴霧剤入り容器２３０内の薬液が噴霧される。
【００７４】
エアーポンプなどによって圧縮空気が作られる場合、上記各実施例のような噴霧剤入り容器２３０でなく、噴霧剤／薬液が封入された単なる瓶が用いられても良い。そして、その瓶の上部にエアーポンプの圧縮空気がパイプで導かれることで、内部液体がその圧縮空気で押し出されて、瓶上部に設置された微小穴のあいたノズルから、その液体が散布されてもよい。
【００７５】
また、噴霧剤入り容器２３０の押栓２３１を押し下げるのに、スライドドア横にある柱で発生される左右運動が、縦運動に変換されるものが用いられるならば、如何なるものが用いられても良い。例えば、三角形の外形を有する楔や、カム、テコ、マグネット、電磁石等様々なものがある。
【００７６】
また例えば、スライドドアが当接される柱によって、カムの端に繋げられたロッドが左右方向に押される。そして、その左右方向に押されたロッドで、カムが回転されるので、そのカムの他方の端に別のロッドが縦方向に運動される。そして、その縦運動されるロッドによって噴霧剤入り容器２３０の押栓２３１が押し下げられても良い。
【００７７】
さらにまた、噴霧剤入り容器２３０の押栓２３１に代えて、電動式のバルブによって開閉されてもよい。例えば、噴霧剤入り容器２３０から引き出されたパイプの途中に電動式の開閉バルブを備え、さらにその開閉バルブの先に噴霧用のノズル口が接続される。
【００７８】
さらにまた、薬液が封入されるスプレー全体が造花や、人形、アンティーク家具、アンティーク瓶などで覆われても良いし、スプレー自体がそれら装飾瓶や人形そのものであってもよい。これにより、スプレー自体の外的美観を改善させることができる。
【００７９】
長孔２２６Ｌ、２２６Ｒに対して同心円弧の長孔がさらに設けられても良い。この長孔には、軸ピン突起２２３Ｌ、２２３Ｒが、移動可能なように嵌め込まれてもまたは遊嵌されても良い。
【００８０】
（５）他の発明の効果
[１]扉が取り付けられる枠体に対して、当該扉が開閉される、二つの空間を仕切るための開閉部と、  この開閉部の扉に設けられ、内部に噴霧剤が入れられて、押すことにより当該噴霧剤を噴射口から噴射させ、この押しを解除すると、元に復帰する押栓を備えた噴霧剤入り容器と、に対して、  この噴霧剤入り容器を、上記開閉部の扉の外面または上記枠体の外面に固定する固定機構と、  この固定機構に取りつけられ、上記噴霧剤入り容器の押栓を押し下げる押し下げ部と、  上記扉が閉じられるときまたは開かれるとき、上記枠体の外面または扉の外面に当接する当接部であって、この当接部は上記押し下げ部に連結され、この当接部は上記押し下げ部を挟んで少なくとも２つ設けられ、  この当接部と押し下げ部との間の少なくとも２箇所に設けられた長孔と、  この長孔内それぞれに入り込む少なくとも２つの突起であって、この突起は長孔内を移動可能であり、  この長孔と突起との一方は、押し下げ部及び当接部または上記固定機構の一方に設けられ、この長孔と突起との他方は、押し下げ部及び当接部または上記固定機構の他方に設けられ、  上記２つの長孔は円弧状に湾曲しており、一方の長孔の円弧の中心は、他方の長孔に入り込んでいる突起にあることを特徴とする開閉部の噴霧剤の噴霧機構。
【００８１】
[２]上記噴霧剤入り容器の押栓を押し下げ部が押し下げる位置は、上記２つの突起の中間点にあることを特徴とする請求項１記載の開閉部の噴霧剤の噴霧機構。これにより、２つの当接部のいずれが押されても、同じストロークかつ同じ力で噴霧剤入り容器の押栓が押され、噴霧量が同じとなる。
【００８２】
[３]上記２つの突起の中間点を中心として、上記２つの当接部が上記扉の外面または枠体の外面に当接する位置は互いに対称位置にあることを特徴とする請求項１または２記載の開閉部の噴霧剤の噴霧機構。これにより、２つの当接部のいずれが押されても、同じストロークかつ同じ力で噴霧剤入り容器の押栓が押され、噴霧量が同じとなる。
【００８３】
[４]上記噴霧剤入り容器の押栓の復帰の付勢によって、上記２つの突起及び上記２つの長孔は、同じ方向に付勢され、  上記当接部が当接すると、当該当接の付勢による回転モーメントによって、上記２つの突起及び長孔のうち、より大きな力が働く方を支点とし、他方の突起は長孔内を移動するようにして、押し下げ部が噴霧剤入り容器の押栓を押すことを特徴とする請求項１、２または３記載の開閉部の噴霧剤の噴霧機構。
【００８４】
これにより、２つの突起／長孔は、いずれか一方が支点となり、他方が傾動ガイドとなって、押栓を押すことができ、２つの突起／長孔は、傾動方向によって、支点と傾動ガイドとが支障なく切換えられ、また噴霧機構の左右の切換えが円滑になる。
【００８５】
[５]上記扉が閉じられるときに、上記当接部は上記扉または上記枠体に当接して、上記押し下げ部は、上記噴霧剤入り容器の押栓を押し下げることを特徴とする請求項１、２、３または４記載の開閉部の噴霧剤の噴霧機構。これにより、扉を閉じて扉から離れるときに噴霧が行なわれるので、扉を通過するまたは開け閉めする人に、噴霧剤がかかることがない。
【００８６】
[６]上記扉が開かれるときに、上記当接部は上記扉または上記枠体に当接して、上記押し下げ部は、上記噴霧剤入り容器の押栓を押し下げることを特徴とする請求項１、２、３または４記載の開閉部の噴霧剤の噴霧機構。これにより、扉を開けて扉に近づくときに噴霧が行なわれるので、扉を通過するまたは開け閉めする人が、不快な臭いなどを嗅いでしまうことがなくなる。
【００８７】
[７]上記固定機構は、上記扉の外面に固定されることを特徴とする請求項１、２、３、４、５または６記載の開閉部の噴霧剤の噴霧機構。これにより、噴霧剤入り容器内の噴霧剤が扉の開閉でよく撹拌され沈殿することがなくなる。
【００８８】
[８]上記固定機構は、上記枠体の外面に固定されることを特徴とする請求項１、２、３、４、５または６記載の開閉部の噴霧剤の噴霧機構。これにより、扉の開閉で、噴霧剤の噴霧機構が揺すられることがなくなり、噴霧機構が故障しにくくなる。
【００８９】
[９]上記固定機構は、上記扉の出入りする側縁付近、回動される扉の回動中心軸とは反対側付近、またはスライドされる扉の上記枠体と重なる側とは反対側に設けられることを特徴とする請求項１、２、３、４、５、６、７または８記載の開閉部の噴霧剤の噴霧機構。これにより、扉を開閉する人に近い箇所で噴霧が行なわれるので、扉を通過するまたは開け閉めする人が、不快な臭いなどを嗅いでしまうことがなくなる。
【００９０】
[１０]上記固定機構は、上記扉の出入りする側縁と反対側付近、回動される扉の回動中心軸付近、またはスライドされる扉の上記枠体と重なる側に設けられることを特徴とする請求項１、２、３、４、５、６、７または８記載の開閉部の噴霧剤の噴霧機構。これにより、扉を開閉する人から離れた箇所で噴霧が行なわれるので、扉を通過するまたは開け閉めする人に、噴霧剤がかかることがない。また、扉を通過するまたは開け閉めする人が、不快な臭いなどを嗅いでしまうことがないようにすることと、扉を通過するまたは開け閉めする人に、噴霧剤がかかることがないようにすることとを、切換え選択できる。
【００９１】
[１１]上記扉は回動されて開閉することを特徴とする請求項１、２、３、４、５、６、７、８、９または１０記載の開閉部の噴霧剤の噴霧機構。これにより、回動式の扉でも噴霧を自動的に行なうことができる。
【００９２】
[１２]上記扉はスライドされて開閉することを特徴とする請求項１、２、３、４、５、６、７、８、９または１０記載の開閉部の噴霧剤の噴霧機構。これにより、スライド式の扉でも噴霧を自動的に行なうことができる。また、回動式の扉でもスライド式の扉でも、切換／選択してどちらでも噴霧を自動的に行なうことができる。
【００９３】
[１３]上記扉は水平方向に開閉することを特徴とする請求項１、２、３、４、５、６、７、８、９、１０、１１または１２記載の開閉部の噴霧剤の噴霧機構。これにより、左右方向または前後方向などに開閉する窓または扉などでも、噴霧を自動的に行なうことができる。
【００９４】
[１４]上記扉は垂直方向に開閉することを特徴とする請求項１、２、３、４、５、６、７、８、９、１０、１１または１２記載の開閉部の噴霧剤の噴霧機構。これにより、上下方向などに開閉する窓または扉などでも、噴霧を自動的に行なうことができる。また、左右方向または前後方向などに開閉する窓または扉などでも、または上下方向などに開閉する窓または扉などでも、切換／選択して噴霧を自動的に行なうことができる。
【００９５】
［１５］上記噴霧剤を噴射口の付近に噴霧剤を吸収する吸収体を取り付け、噴霧される噴霧剤のうち一部または全部を吸収することを特徴とする請求項１、２、３、４、５、６、７、８、９、１０、１１、１２、１３または１４記載の開閉部の噴霧剤の噴霧機構。これにより、噴霧剤が垂れても噴霧機構が汚れないし、吸収体から蒸発する噴霧剤によって噴霧剤の効果を持続させることができる。
【００９６】
［１６］上記噴霧剤入り容器の押栓に対する、当接押込み機構の押し込み量の大きさは調節可能であることを特徴とする請求項１、２、３、４、５、６、７、８、９、１０、１１、１２、１３、１４または１５記載の開閉部の噴霧剤の噴霧機構。これにより、噴霧剤の噴霧量を多くしたり少なくしたりして調整することができる。
【００９７】
[１７]噴霧剤入り容器の押栓は１回の押し込みで一定量だけの噴霧剤が噴射されることを特徴とする請求項１、２、３、４、５、６、７、８、９、１０、１１、１２、１３、１４または１５記載の開閉部の噴霧剤の噴霧機構。これにより、押栓を押し続けても、噴霧剤が出っぱなしにならない。
【産業上の利用可能性】
【００９８】
この２つの長孔２２９Ｌ、２２９Ｒは円弧状に湾曲しており、一方の長孔２２９Ｌの円弧の中心は、他方の長孔２２９Ｒに入り込んでいる軸ピン突起２２３Ｒにあり、他方の長孔２２９Ｒの円弧の中心は、一方の長孔２２９Ｌに入り込んでいる軸ピン突起２２３Ｌにある。上記噴霧剤入り容器２３０の押栓２３１を押し下げる押し下げ部２２８の位置は、２つの軸ピン突起２２３または２つの長孔２２９Ｌ、２２９Ｒの中間点にある。また、この中間点を中心として、上記２つの当接部２２７Ｌ、２２７Ｒの先端が上記扉２０３の外面または枠体２０２の外面に当接する位置は互いに対称位置にある。これにより、左右２つの当接部のいずれが押されても、同じストロークかつ同じ力で押栓が押され、噴霧量が同じとなる。
【００９９】
２つの軸ピン突起２２３Ｌ、２２３Ｒ及び上記２つの長孔２２９Ｌ、２２９Ｒは、押栓２３１の復帰力によってともに同じ上方向に同じ力で付勢されている。左側の当接部２２７Ｌが押されると、ロッド２２４に反時計周りの回転モーメントが働く。２つの軸ピン突起２２３Ｌ、２２３Ｒ／長孔２２９Ｌ、２２９Ｒのうち、軸ピン突起２２３Ｒ／長孔２２９Ｒの方に大きな力が働き、ここが支点となって、軸ピン突起２２３Ｌが長孔２２９Ｌ内を移動するように、ロッド２２４全体が傾き、押し下げ部２２８が噴霧剤入り容器２３０の押栓２３１を押す。右側の当接部２２７Ｒが押されると、これらと逆の動きとなって、やはり押し下げ部２２８が押栓２３１を押す。
【図面の簡単な説明】
【０１００】
【図１】開閉部の噴霧剤の噴霧機構の第一実施例の開閉部全体を示す。
【図２】開閉部の噴霧剤の噴霧機構の第一実施例の分解斜視を示す。
【図３】開閉部の噴霧剤の噴霧機構の第一実施例の当接／押込み状態を示す。
【図４】左の当接部２２７Ｌが押されるときのロッド２２４の当接部２２７Ｌ、２２７Ｒと押し下げ部２２８と、長孔２２９Ｌ、２２９Ｒ及び軸ピン突起２２３Ｌ、２２３Ｒとを示す。
【図５】右の当接部２２７Ｒが押されるときのロッド２２４の当接部２２７Ｌ、２２７Ｒと押し下げ部２２８と、長孔２２９Ｌ、２２９Ｒ及び軸ピン突起２２３Ｌ、２２３Ｒとを示す。を示す。
【図６】第二実施例において、左の当接部２２７Ｌが押されるときのロッド２２４の当接部２２７Ｌ、２２７Ｒと押し下げ部２２８と、長孔２２６Ｌ、２２６Ｒ及び軸ピン突起２２３Ｌ、２２３Ｒとを示す。
【図７】第二実施例において、右の当接部２２７Ｌが押されるときのロッド２２４の当接部２２７Ｌ、２２７Ｒと押し下げ部２２８と、長孔２２６Ｌ、２２６Ｒ及び軸ピン突起２２３Ｌ、２２３Ｒとを示す。
【符号の説明】
【０１０１】
２０１…開閉部、２０２…枠体、
２０３…扉（開閉体）、２０４…台座（固定機構）、
２０５Ｌ、２０５Ｒ…中央折り曲げ部（固定機構）、
２０６Ｌ、２０６Ｒ…係合穴、
２０７Ｌ、２０７Ｒ…上部折り曲げ部、
２０８Ｌ、２０８Ｒ…ストッパー部（固定機構）、
２１０…カバー部、２１１Ｌ、２１１Ｒ…側面部（固定機構）、
２１２Ｌ、２１２Ｒ…上端カバー部（固定機構）、
２１３…覗き窓、２１４…挟み込み部、
２２１Ｌ、２２１Ｒ…軸支面（固定機構）、
２２２Ｌ、２２２Ｒ…ねじ穴（当接押込み機構・軸支部）、
２２３Ｌ、２２３Ｒ…軸ピン突起（当接押込み機構・軸支部）、
２２４…ロッド、２２５…軸穴（当接押込み機構・軸支部）、
２２６Ｌ、２２６Ｒ…長孔、２２７Ｌ、２２７Ｒ…当接部、
２２８…押し下げ部、２２９Ｌ、２２９Ｒ…長孔、
２３０…噴霧剤入り容器、２３１…押栓、２３２…噴射口。
【図１】
2008094438.tif 000003
【図２】
2008094438.tif 000004
【図３】
2008094438.tif 000005
【図４】
2008094438.tif 000006
【図５】
2008094438.tif 000007
【図６】
2008094438.tif 000008
【図７】
2008094438.tif 000009